(57)【要約】【課題】いずれかのロッカーボックスの施錠操作または操作装置の操作が行われた場合、預け入れようとするロッカーボックスの操作ができないようにすると共に、当該ロッカーボックスが使用可能になるまで待機する旨を通知するロッカーシステムを提供する。【解決手段】施錠指示部３５を有する複数のロッカーボックス２と、ロッカーボックス２の施錠・解錠を制御する制御装置２０と、制御装置２０を操作する操作装置４１を有するロッカーシステム１において、制御装置４１はいずれかのロッカーボックス２の施錠指示部への操作に基づく第１の操作情報及び操作装置４１への操作に基づく第２の操作情報のうちいずれかの操作情報を取得した場合、他のロッカーボックスに対して制御情報を送信し、各ロッカーボックス２は制御情報を受信した場合、施錠指示部への操作に対する処理を行わず、当該ロッカーボックスが使用可能な状態になるまで待機する旨を通知する。【選択図】図２
2019124008.tif 000002
【特許請求の範囲】
【請求項１】
施錠指示部を有する複数のロッカーボックスと、該複数のロッカーボックスと通信可能に接続されると共に該複数のロッカーボックスの施錠及び解錠を制御する制御装置と、該制御装置を操作する操作装置と、を有するロッカーシステムにおいて、
前記制御装置は、
前記複数のロッカーボックスのうちいずれかのロッカーボックスの前記施錠指示部への操作に基づく第１の操作情報及び前記操作装置への操作に基づく第２の操作情報のうちいずれかの操作情報を取得した場合、該複数のロッカーボックスのうち該いずれかのロッカーボックス以外の他のロッカーボックスに対して制御情報を送信する制御部を備え、
前記複数のロッカーボックスのそれぞれは、
前記制御情報を受信した場合、前記施錠指示部への操作に対する処理を行わない電気錠と、
前記制御情報に基づいて、当該ロッカーボックスが使用可能な状態になるまで待機する旨を通知する通知部とを備える
ことを特徴とするロッカーシステム。
【請求項２】
前記通知部は、発光により通知する光源装置である
ことを特徴とする請求項１に記載のロッカーシステム。
【請求項３】
前記複数のロッカーボックスは、１個毎又は複数個毎に、警告音を発する音響装置を備える
ことを特徴とする請求項１又は２に記載のロッカーシステム。
【発明の詳細な説明】
【技術分野】
【０００１】
本発明は、例えば駅構内に設置され、複数の利用者にロッカーボックスを利用可能としたロッカーシステムに関する。
【背景技術】
【０００２】
従来、駅構内等に配置される貸しロッカーとして利用されるロッカーシステムは、ＩＣカード等の電子マネーで利用できるものが広く知られている（例えば、特許文献１）。このようなＩＣカードを利用できるロッカーシステムは、１台の集中制御装置とこの集中制御装置の左右両側に複数の収容室（ロッカーボックス）とを配置し、１台の集中制御装置で複数の収納室における荷物の預け入れ、取り出しを集中制御する集中制御タイプのものが多い。
【０００３】
このようなロッカーシステムにおいて、荷物を預け入れる場合には、利用者は、空いているロッカーボックスを見つけて荷物を収容して、そのロッカーボックスの扉を閉じて、扉周辺に設けられている施錠部を操作して仮施錠した後、集中制御装置まで移動して、集中制御装置に設けられたタッチパネルで決済を行い、本施錠する、という預け入れ操作を行う。
【先行技術文献】
【特許文献】
【０００４】
【特許文献１】特開２００７−１１３２８３号公報
【発明の概要】
【発明が解決しようとする課題】
【０００５】
上記のような集中制御タイプのロッカーシステムの場合、複数のロッカーボックスに対して、集中制御装置は１台なので、集中制御装置で他人が預け入れ操作中である場合には、それ以外の人は、預け入れ操作をすることができない。
【０００６】
また、他人の預け入れ操作が終わるまで待つ必要があるが、近年は、貸しロッカーの需要の増大を受けて、ロッカーシステムに設置されるロッカーボックスの数が増大し、ロッカーシステムが大型化しているため、ロッカーボックスから集中制御装置まで距離が離れていると、仮施錠したロッカーボックスの位置から集中制御装置で操作している人がいるかどうかを容易に確認できない場合がある。
【０００７】
本発明では、一態様として、いずれかのロッカーボックスの施錠操作または操作装置の操作が行われた場合、預け入れようとするロッカーボックスの操作ができないようにすると共に、当該ロッカーボックスが使用可能になるまで待機する旨を通知するロッカーシステムを提供する。
【課題を解決するための手段】
【０００８】
本発明の一態様にかかる、施錠指示部を有する複数のロッカーボックスと、該複数のロッカーボックスと通信可能に接続されると共に該複数のロッカーボックスの施錠及び解錠を制御する制御装置と、該制御装置を操作する操作装置と、を有するロッカーシステムにおいて、前記制御装置は、前記複数のロッカーボックスのうちいずれかのロッカーボックスの前記施錠指示部への操作に基づく第１の操作情報及び前記操作装置への操作に基づく第２の操作情報のうちいずれかの操作情報を取得した場合、該複数のロッカーボックスのうち該いずれかのロッカーボックス以外の他のロッカーボックスに対して制御情報を送信する制御部を備え、前記複数のロッカーボックスのそれぞれは、前記制御情報を受信した場合、前記施錠指示部への操作に対する処理を行わない電気錠と、前記制御情報に基づいて、当該ロッカーボックスが使用可能な状態になるまで待機する旨を通知する通知部とを備えることを特徴とする。
【０００９】
上記ロッカーシステムにおいて、前記通知部は、発光により通知する光源装置であることを特徴とする。
【００１０】
上記ロッカーシステムにおいて、前記複数のロッカーボックスは、１個毎又は複数個毎に、警告音を発する音響装置を備えることを特徴とする。
【発明の効果】
【００１１】
本発明の一態様によれば、いずれかのロッカーボックスの施錠操作または操作装置の操作が行われた場合、預け入れようとするロッカーボックスの操作ができないようにすると共に、当該ロッカーボックスが使用可能になるまで待機する旨を通知するロッカーシステムを提供することができる。
【図面の簡単な説明】
【００１２】
【図１】本実施形態におけるロッカーシステムの外観正面図である。
【図２】本実施形態におけるロッカーシステムのハードウェア構成を示す図である。
【図３】本実施形態におけるロッカーボックスの一例を示す図である。
【図４】図１の破線枠５で示される部分の拡大図である。
【図５】本実施形態における扉の裏面を示す図である。
【図６】本実施形態における仮施錠を行う場合に上方から観たロッカーボックスの断面図である。
【図７Ａ】本実施形態におけるロッカーボックスへの預け入れ操作時の制御部の処理フロー（その１）を示す図である。
【図７Ｂ】本実施形態におけるロッカーボックスへの預け入れ操作時の制御部の処理フロー（その２）を示す図である。
【図７Ｃ】本実施形態におけるロッカーボックスへの預け入れ操作時の制御部の処理フロー（その３）を示す図である。
【図８】本実施形態におけるロッカーボックスからの取り出し操作時の制御部の処理フローを示す図である。
【発明を実施するための形態】
【００１３】
本実施形態に係る、ロッカーシステムは、施錠指示部を有する複数のロッカーボックスと、複数のロッカーボックスと通信可能に接続されると共に複数のロッカーボックスの施錠及び解錠を制御する制御装置と、制御装置を操作する操作装置と、を有する。ロッカーシステムの一例として、後述するロッカーシステム１が挙げられる。制御装置の一例として、後述する集中制御装置２０が挙げられる。操作装置の一例として、後述する操作表示部２１が挙げられる。
【００１４】
制御装置は、複数のロッカーボックスのうちいずれかのロッカーボックスの施錠指示部への操作に基づく第１の操作情報及び操作装置への操作に基づく第２の操作情報のうちいずれかの操作情報を取得した場合、複数のロッカーボックスのうちいずれかのロッカーボックス以外の他のロッカーボックスに対して制御情報を送信する制御部を備える。制御部の一例として、後述する制御部４１が挙げられる。
【００１５】
複数のロッカーボックスのそれぞれは、制御情報を受信した場合、施錠指示部への操作に対する処理を行わない電気錠と、前記制御情報に基づいて、当該ロッカーボックスが使用可能な状態になるまで待機する旨を通知する通知部とを備える。
【００１６】
このように構成することにより、いずれかのロッカーボックスへの施錠操作が行われた場合または制御装置への操作が行われた場合には、これから預け入れようとするロッカーボックスでの操作ができないようにすると共に、集中制御装置の操作ができないことを通知することができる。
【００１７】
通知部は、発光により通知する光源装置である。光源装置の一例としては、後述するＬＥＤ４（６４）、すなわち表示１（６４）が挙げられる。
【００１８】
複数のロッカーボックスは、複数のロッカーボックスは、１個毎又は複数個毎に、警告音を発する音響装置を備える。音響装置の一例としては、後述するブザー３１が挙げられる。
【００１９】
また、複数のロッカーボックスは、１個毎又は複数個毎にグループ化されてもよく、縦列のグループ毎に音響装置を備えてもよい。このように構成することにより、利用者が音だけでロッカーボックスの位置を把握できるように通知することができる。
【００２０】
このように構成することにより、光や音を用いて、これから預け入れようとするロッカーボックスが使用可能になるまで待機する旨を通知することを通知することができる。
【００２１】
以下に、本実施形態の詳細について説明する。
【００２２】
図１は、本実施形態におけるロッカーシステムの外観正面図である。ロッカーシステム１は、ＩＣカードによりロッカーを利用できる電子マネー対応機である。ロッカーシステム１は、コンピュータ等からなる制御部（後述する）を内蔵した集中制御装置２０を有しており、その両側及び下側にそれぞれ複数のロッカーボックス２が配置されている。以下では、ロッカーボックス２の総称をロッカー部６という。
【００２３】
集中制御装置２０には、操作表示部２１、レシート発行部２２ａ，２２ｂ、バーコードリーダ２３、ＩＣカードリーダ／ライタ２４、紙幣投入部２５、硬貨投入部２６、返金操作部２７、返金口２８、スピーカ２９が設けられている。
【００２４】
操作表示部２１は、例えば利用者に情報を表示する液晶ディスプレイ（liquid crystal display（ＬＣＤ））とタッチパネルからなる。レシート発行部２２ａ，２２ｂは、清算内容や使用したロッカーボックス２を特定する情報が記されたレシートを発行する。
【００２５】
バーコードリーダ２３は、一次元または二次元バーコードを読み取る。ＩＣカードリーダ／ライタ２４は、RFID（Radio Frequency Identification）技術により、非接触でＩＣカードに対してデータの読み書きを行う。
【００２６】
紙幣投入部２５は、紙幣を投入する投入口である。硬貨投入部２６は、貨幣を投入する投入口である。返金操作部２７は、返金をする場合に操作されるコック状の部材である。返金口２８には、返金された貨幣が返金される。スピーカ２９は、音（音声を含む。）を出力する。
【００２７】
ロッカー部６は、１個または複数個のロッカーボックス２で構成されている。ロッカーボックス２は、扉３が紙面の手前側に開閉可能に設けられている。扉３には、取っ手４と操作部（後述する）が設けられている。
【００２８】
符号２ａで示される破線枠で囲ったものは、ロッカーボックス２の扉３が開いた状態を示す。ロッカーボックス２の内部は、底面１１、天井面１０、側面８，９、及び背面１２で構成され、物を収納するスペース（収納部１３）として機能する。框７には後述するセンサ及びＬＥＤ（light emitting diode）が設けられている。
【００２９】
図２は、本実施形態におけるロッカーシステムのハードウェア構成を示す図である。図２において、ロッカーシステム１は、集中制御装置２０とロッカー部６を含む。集中制御装置２０は、制御部４１、操作表示部２１、バーコードリーダ２３、ＩＣカードリーダ／ライタ２４、プリンタ４４、紙幣処理部４５、硬貨処理部４６、スピーカ２９を含む。
【００３０】
制御部４１は、操作表示部２１、バーコードリーダ２３、ＩＣカードリーダ／ライタ２４、プリンタ４４、紙幣処理部４５、硬貨処理部４６、スピーカ２９、及びロッカー部６の各構成要素と通信可能に接続され、ロッカーシステム１全体を制御する中央演算装置（ＣＰＵ）等のプロセッサである。
【００３１】
制御部４１は、記憶部４２、認証部４３含む。記憶部４２は、ロッカーボックスへの預け入れの際の決済後に利用者に対して発行される、ロッカーボックスを識別するボックス番号と、暗証番号とを組み合わせた情報（利用者識別情報）を記憶する。
【００３２】
認証部４３は、利用者の認証処理を行う。ここでは、ロッカーボックス２からの預け入れた物の取り出しの際、制御部４１は、バーコードリーダ２３で読み取った一次元または二次元バーコードまたはＩＣカードリーダ／ライタ２４で読み取ったＩＣカードの所定の情報と、記憶部４２に記憶された利用者識別情報とを照合して、認証処理を行う。
【００３３】
操作表示部２１、バーコードリーダ２３、ＩＣカードリーダ／ライタ２４、スピーカ２９は、図１で説明した通りなので、ここではその説明を省略する。
【００３４】
プリンタ４４は、レシート発行部２２ａ，２２ｂに設けられた、レシートに印字するための出力装置である。ロッカーボックス２へ預け入れて決済が完了すると、利用者識別情報に対応する一次元または二次元バーコードをレシートに印刷して発行する。
【００３５】
紙幣処理部４５は、紙幣投入部２５から投入された紙幣を処理し、必要に応じて返金口２８より返金を行う。硬貨処理部４５は、硬貨投入部２６から投入された紙幣を処理し、必要に応じて返金口２８より返金を行う。
【００３６】
ロッカー部６のそれぞれには、ブザー３１が設けられ、各ロッカーボックス２には、ロック部３２が設けられている。ロック部３２は、扉３を施錠及び解錠する機構であり、本実施形態では後述するように、扉３及び框７に設けられている。ブザー３１は、そのロッカー部６に属するロッカーボックス２が所定の状態において所定の操作が行われた場合に制御部４１からの指示に基づいて警告音等がなる。なお、本実施形態では、一例として、ロッカー部６単位でブザー３１を設けたが、これに限定されず、ロッカーボックス単位でブザー３１を設けてもよい。
【００３７】
ロック部３２は、電気錠３３、扉開閉スイッチ（以下、スイッチを「ＳＷ」と称する）３４、押ボタンＳＷ３５、ホールセンサ５３、ＬＥＤ１（３６）、ＬＥＤ２（３７）、ＬＥＤ３（３８）、ＬＥＤ４（３９）を含む。
【００３８】
扉開閉ＳＷ３４は、扉３の開閉状態を判定するスイッチであり、例えば、電気錠３３に設けられたマイクロスイッチである。扉開閉ＳＷ３４がＯＮ／ＯＦＦされると、そのＯＮ／ＯＦＦされたことを示す情報が制御部４１へ送信される。
【００３９】
押ボタンＳＷ３５は、扉３を閉じた状態で仮施錠する場合に押下するボタン型スイッチであり、押下されると、押下されたことを制御部４１に通知する信号が送信される。押ボタンＳＷ３５は、後述する非接触型の磁気センサによって構成される。
【００４０】
電気錠３３は、扉３の開閉を規制する機構であって、扉開閉ＳＷ３４及び押ボタンＳＷ３５の状態に基づいて、または集中制御装置２０からの指示に応じて、扉３の施錠または解錠を行う。
【００４１】
ＬＥＤ１（３６）、ＬＥＤ２（３７）、ＬＥＤ３（３８）、ＬＥＤ４（３９）は、框７に設けられている。ＬＥＤ１（３６），ＬＥＤ２（３７），ＬＥＤ３（３８），ＬＥＤ４（３９）はそれぞれ、扉３が開いているときは消灯しているが、扉３が閉じると、条件に応じて点灯する。これにより、扉３の操作部（図３にて説明する）に設けられた、光を透過するカバー部材を介してそれぞれ表示１、表示２、表示３、表示４として点灯する。
【００４２】
次に、ロッカーボックス２について説明する。
【００４３】
図３は、本実施形態におけるロッカーボックスの一例を示す図である。図４は、図１の破線枠５で示される部分の拡大図であって、本実施形態における操作部の一例を示す図である。図５は、本実施形態における扉３の裏面を示す図である。
【００４４】
扉３の左端側は、収納部１３の開口部分を形成する側面９にヒンジを介して開閉可能に固定され、扉３の右端は、框７を覆うように構成されている。框７には、クッション部材５１a，５１ｂ、ＬＥＤ１（３６），ＬＥＤ２（３７），ＬＥＤ３（３８），ＬＥＤ４（３９）、ホールセンサ５３、フック受入部５２が設けられている。
【００４５】
クッション部材５１a，５１ｂは、扉３を閉めた場合に扉３が框７へ衝突するのを防止するクッション材である。ＬＥＤ１（３６），ＬＥＤ２（３７），ＬＥＤ３（３８），ＬＥＤ４（３９）は、扉３を閉じると点灯することにより、扉３の操作部（図４にて説明する）に設けられた、光を透過するカバー部材を介して表示１（６１）、表示２（６２）、表示３（６３）、表示４（６４）として点灯する。
【００４６】
フック受入部５２は、扉３の裏面に設けられたフック６６が挿入されて、電気錠３３により施錠がなされる。
【００４７】
ホールセンサ５３は、ホール効果を利用して磁石が発する磁界や電流が発する磁界を電気信号に変換して出力する非接触型の磁気センサであり、扉３に設けられた押ボタンＳＷ５に連動して動作する磁石の相対位置の変位を検知する。
【００４８】
図４に示すように、扉３には操作部６０が設けられている。操作部６０は、表示１（６１）、案内ラベル６５、表示２（６２）、表示３（６３）、表示４（６４）を含む。
【００４９】
ここで、表示１（６１）、表示２（６２）、表示３（６３）、表示４（６４）は、それぞれ扉３の該当する部分を貫通させ、貫通させた孔の開口部分それぞれを、ＬＥＤ１（３６），ＬＥＤ２（３７），ＬＥＤ３（３８），ＬＥＤ４（３９）から発せられた光を透過する部材で覆うことで構成されている。
【００５０】
表示１（「空き」６１）は、点灯している場合は、ロッカーボックス２が使用されていない場合、すなわちそのロッカーボックス２が使用可能な状態であることを示し、消灯している場合は、ロッカーが他人に占有されて使用することができないことを示す。
【００５１】
表示２（「施錠する」６２）は、点灯している場合は、そのロッカーボックス２が本施錠されて、そのロッカーボックス２が荷物を預けたユーザによって占有されていることを示し、消灯している場合は、そのロッカーが解錠されている状態であることを示す。
【００５２】
表示３（「支払う」６３）は、点滅中は、そのロッカーボックス２の仮施錠後決済が未だ完了していないことを示す（すなわち支払いを促している）。表示３が点滅表示することで、集中操作装置２０での入金操作が終わっていないまたは本施錠が済んでいないことが報知されるので、操作なれしていない利用者は、仮施錠を本施錠と勘違いして立ち去ってしまうリスクが軽減される。
【００５３】
表示４（「お待ちください」６４）は、点滅中は、操作表示部２１を他人が操作しているので、ユーザによる操作表示部２１の支払い操作については待つようにすることを報知する。すなわち、表示４が点滅表示することによって、他人が操作表示部２１を操作中であるから、操作表示部２１の操作ができない旨を報知することができる。また、このときは、ロッカーボックス２側での操作部６０での操作を行うことができないので、仮施錠することができない。
【００５４】
なお、表示２（６２）は、押下可能になっており、その背面には押ボタンＳＷ３５が設けられている。したがって、表示２（６２）は押ボタンＳＷ３５としても機能する。図５（ａ）は、表示２の押下前における扉３の裏面図である。図５（ｂ）は、表示２の押下後における扉３の裏面図である。表示２を押下すると、扉３から磁石を包含する突起物（被検知部６７）が突き出す。
【００５５】
図６は、本実施形態における仮施錠を行う場合に上方から観たロッカーボックス２の断面図である。図６（ａ）は、扉３が開いている場合に上方から観たロッカーボックス２の断面図である。扉３と側面９とはヒンジ８１によって支持されている。また、框７には、電気錠３３と、ホールセンサ５３とが内蔵させている。
【００５６】
電気錠３３には、フック６６がフック受入部５２より挿入されて、所定の部材に当接すると、扉開閉ＳＷ３４としてのマイクロスイッチがＯＮになり、扉３が閉められたことが検知される。また、解錠された場合には、フック６６による当接がなくなり、扉開閉ＳＷ３４としてのマイクロスイッチがＯＦＦになり、制御部４１によって扉３が開いていることが検知される。
【００５７】
図６（ｂ）は、扉３が閉められて押ボタンＳＷ３５が押下されるまでの待機中に上方から観たロッカーボックス２の断面図である。扉３が閉められると、フック６６がフック受入部５２より挿入されて、電気錠３３内の所定の部材に当接すると、マイクロスイッチがＯＮになり、制御部４１によって扉３が閉められたことが検知され、押しボタンＳＷ３５の押下待機状態となる。
【００５８】
図６（ｃ）は、押ボタンＳＷ３５押下時の上方から観たロッカーボックス２の断面図である。押ボタンＳＷ３５が押下されると、被検知部６７が変位する。すると、ホールセンサ５３が被検知部６７の接近を検知し、電気錠３３によりフック６６が一時的に固定され、仮施錠される。
【００５９】
図７Ａ、図７Ｂ及び図７Ｃは、本実施形態におけるロッカーボックスへの預け入れ操作時の制御部の処理フローを示す図である。初期状態は扉３が閉じているが、仮施錠または本施錠がされていない状態である（すなわち、自由に扉３の開閉ができる状態）。図７Ａ、図７Ｂ及び図７Ｃは、複数あるロッカーボックス２のうち、以下では、特に言及しない場合は、１つのロッカーボックス２に着目して説明する。
【００６０】
初期状態（仮施錠または本施錠せずに扉３が閉じている状態）において、制御部４１は、ＬＥＤ１（３６）をＯＮする。すると、表示１として、「空き」６１が点灯する（Ｓ１）。
【００６１】
次に、制御部４１は、扉開閉ＳＷ３４からの検知結果に応じて、扉３の開閉状態を検知する（Ｓ２）。扉開閉ＳＷ３４としてのマイクロスイッチがＯＮの間、制御部４１は扉３が閉じていると判定し（Ｓ２でＮｏ）、Ｓ１の処理を繰り返す。
【００６２】
扉開閉ＳＷ３４としてのマイクロスイッチがＯＦＦであると判定すると（Ｓ２でＹｅｓ）、制御部４１は、扉３が開いていると判定して（Ｓ２でＹｅｓ）、ＬＥＤ１（３６）をＯＦＦする。すると、表示１としての「空き」６１が消灯し（Ｓ３）、扉３が閉じるまで待機状態となる（Ｓ４でＮｏ）。
【００６３】
その後、扉開閉ＳＷ３４としてのマイクロスイッチがＯＮであると判定すると（Ｓ４でＹｅｓ）、制御部４１は、ＬＥＤ１（３６）をＯＮする。すると、表示１として、「空き」６１が点灯する（Ｓ５）。
【００６４】
それから、制御部４１は、タイマーをスタートさせ、所定時間の計測を開始する（Ｓ６）。所定時間内に押ボタンＳＷ３５が押下されない場合（Ｓ７でＮｏ，Ｓ８でＮｏ）、制御部４１は、処理をＳ１へ戻す（Ｓ７でＹｅｓ）。
【００６５】
所定時間内に押ボタンＳＷ３５が押下された場合（Ｓ７でＮｏ、Ｓ８でＹｅｓ）、制御部４１は、操作表示部２１を他人が操作しているか否かに基づいて、集中制御装置２０を他人が操作中か否か及び別のロッカーボックスが操作されている（別のロッカーボックスが仮施錠状態である）か否か判定する（Ｓ９）。
【００６６】
操作表示部２１を他人が操作中でない、かつ別のロッカーボックスが操作されていない（別のロッカーボックスが仮施錠状態でない）と判定した場合（Ｓ９でＮｏ）、制御部４１は、その押ボタンＳＷ３５が押下されたロッカーボックス２の電気錠３３に施錠を指示する施錠信号を送信する。その施錠信号を受信した電気錠３３は、仮施錠を行う（Ｓ１０）。すると、決済開始のフェーズにはいる。
【００６７】
制御部４１は、タイマーをスタートさせ、所定時間の計測を開始する（Ｓ１１）。制御部４１は、その押ボタンＳＷ３５が押下されたロッカーボックス２のＬＥＤ３（３８）のＯＮ／ＯＦＦを繰り返す。すると、表示３として、その押ボタンＳＷ３５が押下されたロッカーボックス２の「支払う」６３が点滅する（Ｓ１２）。また、制御部４１は、該当ロッカーボックス２の属するロッカー部６に設置されたブザー３１を鳴動させる（Ｓ１３）。
【００６８】
所定時間に、集中制御装置２０にて、利用者がその仮施錠したロッカーボックス２の支払いを完了した場合（Ｓ１４でＮｏ，Ｓ１５でＹｅｓ）、制御部４１は、該当ロッカーボックス２のＬＥＤ１（３６）及びＬＥＤ３（３８）をＯＦＦし、ＬＥＤ２（３７）をＯＮする。すると、該当ロッカーボックス２の表示１（「空き」６１）及び表示３（「支払う」６３）が消灯し、表示２（「施錠する」６２）が点灯する（Ｓ１６）。また、制御部４１は、Ｓ１３で行ったブザー３１による鳴動を停止する（Ｓ１７）。
【００６９】
所定時間に、集中制御装置２０にて、利用者がその仮施錠したロッカーボックス２の支払いを完了しない場合（Ｓ１４でＹｅｓ）、制御部４１は、該当ロッカーボックスについて預入未完処理を行う（Ｓ１８）。預入未完処理は、本実施形態では、該当ロッカーボックスについて解錠処理を行うが、仕様によっては施錠処理でもよい。
【００７０】
なお、仮施錠処理（Ｓ１１）後からブザー音停止処理（Ｓ１７）までの間、ロッカーはその利用者に占有されている状態である。
【００７１】
Ｓ９において、操作表示部２１を他人が操作中である、または別のロッカーボックスが操作されている（別のロッカーボックスが仮施錠状態である）と判定した場合（Ｓ９でＹｅｓ）、制御部４１は、その押ボタンＳＷ３５が押下されたロッカーボックス２のＬＥＤ４（３９）のＯＮ／ＯＦＦを繰り返す。すると、表示４として、「お待ちください」６４が点滅する（Ｓ２１）。表示４が点滅表示することによって、当該ロッカーボックスは現在操作ができない状態なので、使用可能な状態になるまで待機するように報知することができる。また、このときは、Ｓ８で押ボタンＳＷ３５が押下されているが、制御部４１は、そのロッカーボックスの電子錠３３に対して、施錠指示をしない。そのため、当該ロッカーボックス２の仮施錠はできないようになっている。
【００７２】
このとき、また、制御部４１は、該当ロッカーボックス２の属するロッカー部６に設置されたブザー３１を鳴動させる（Ｓ２２）。
【００７３】
該当ロッカーボックスについては、操作表示部２１を用いた、他人による荷物の預入れまたは取り出し操作が完了するまで、制御部４１は待機状態となる（Ｓ２３でＮｏ）。操作表示部２１を用いた、他人による荷物の預入れまたは取り出し操作が完了すると（Ｓ２３でＹｅｓ）、図７ＢのＳ１９の処理へ進む。
【００７４】
Ｓ１７もしくはＳ１８の処理、またはＳ２３でＹｅｓへ進んだ場合、制御部４１は、Ｓ２１〜Ｓ２３の処理を実行したロッカーボックス２（扉３）があるかを判定する（Ｓ１９）。Ｓ２１〜Ｓ２３の処理を実行したロッカーボックス２（扉３）がある場合（Ｓ１９でＹｅｓ）、制御部４１は、該当ロッカーボックス２すべてのＬＥＤ４（３９）をＯＦＦにする。すると、全てのロッカーボックス２の表示４（「お待ちください」６４）が消灯し（Ｓ２０）、本フローは終了する。
【００７５】
Ｓ２１〜Ｓ２３の処理を実行したロッカーボックス２がない場合（Ｓ１９でＮｏ）、本フローは終了する。
【００７６】
図８は、本実施形態におけるロッカーボックスからの取り出し操作時の制御部の処理フローを示す図である。ここで取り出し操作とは、操作表示部２１に表示される「取り出し」ボタンを押下することである。
【００７７】
操作表示部２１に表示される「取り出し」ボタンを押下すると、利用者は画面のガイダンスに従って、預り時に発行したレシートに印刷された一次元または二次元バーコードをバーコードリーダ２３に読み取らせたり、預り時に所定の情報が記録されたＩＣカードをＩＣカードリーダ／ライタ２４に読み取らせたりする。
【００７８】
制御部４１は、読み取った一次元または二次元バーコードまたは所定の情報に基づいて、認証処理を行う（Ｓ３１）。ここで、認証処理について説明する。制御部４１は、預入時にロッカーボックス２を識別するボックス番号と、暗証番号とを組み合わせた情報（利用者識別情報）を一次元または二次元バーコードとして印刷したり、またはＩＣカードに記録させる。これと共に、制御部４１側でも、ボックス番号と、暗証番号とを組み合わせた情報（利用者識別情報）を記憶部４２に記憶している。
【００７９】
認証処理では、バーコードリーダ２３またはＩＣカードリーダ／ライタ２４で読み取った（利用者識別情報）と、予め登録されている（利用者識別情報）とを照合して、認証を行う。ＩＤの認証が終わるまで、Ｓ３１の処理は繰り返される。
【００８０】
認証が完了すると（Ｓ３１でＹｅｓ）、制御部４１は、タイマーをスタートさせ（Ｓ１１）、所定時間の計測を開始する（Ｓ３２）。制御部４１は、ＩＤ認証に対応する該当ロッカーボックス２の電気錠３３に解錠信号を送って、該当ロッカーボックス２の解錠処理を行う（Ｓ３３）。
【００８１】
制御部４１は、操作表示部２１に、操作表示部２１から見て該当ロッカーボックス２が存在する方向が分かるように、操作表示部２１にその方向を示す矢印を表示させる（Ｓ３４）。これにより、利用者は、該当ロッカーボックス２の存在する方向を容易に認識することができる。
【００８２】
制御部４１は、該当ロッカーボックス２のＬＥＤ２（３７）をＯＦＦにし、ＬＥＤ１（３６）のＯＮ／ＯＦＦを繰り返す。すると、表示２（「施錠する」６２）が消灯し、表示１（「空き」６１）が点灯する（Ｓ３５）。これにより、利用者は、該当ロッカーボックス２を容易に認識することができる。
【００８３】
また、制御部４１は、該当ロッカーボックス２の属するロッカー部６に設置されたブザー３１を鳴動させる（Ｓ３６）。これにより、利用者は、該当ロッカーボックス２の存在するロッカー部６を容易に認識することができる。
【００８４】
所定時間内に該当ロッカーボックス２の扉３が開かれるまで、制御部４１は、待機状態となる（Ｓ３７でＮｏ、Ｓ３８でＮｏ）。ここで、制御部４１は、所定時間内に該当ロッカーボックス２の扉開閉ＳＷ３４からの検知結果に基づいて、該当ロッカーボックス２の扉３が開かれたか否かを判定する。
【００８５】
扉開閉ＳＷ３４からの検知結果に基づいて、該当ロッカーボックス２の扉３が開かれたと判定した場合（Ｓ３８でＹｅｓ）、制御部４１は、Ｓ３４において操作表示部２１に表示させていた矢印の表示を終了する（Ｓ３９）。
【００８６】
それと共に、制御部４１は、該当ロッカーボックス２のＬＥＤ１（３６）をＯＦＦにする。すると、表示１（「空き」６１）が消灯する（Ｓ４０）。また、制御部４１は、Ｓ３６で行ったブザー３１による鳴動を停止する（Ｓ４１）。
【００８７】
該当ロッカーボックス２の扉３が閉まるまで、制御部４１は、待機状態となる（Ｓ４２でＮｏ）。制御部４１は、該当ロッカーボックス２の扉開閉ＳＷ３４からの検知結果に基づいて、該当ロッカーボックス２の扉３が閉じたと判定する。
【００８８】
該当ロッカーボックス２の扉開閉ＳＷ３４からの検知結果に基づいて、該当ロッカーボックス２の扉３が閉じたと判定した場合（Ｓ４２でＹｅｓ）、制御部４１は、該当ロッカーボックス２のＬＥＤ１（３６）をＯＮにする。すると、表示１（「空き」６２）が点灯する（Ｓ３８）。
【００８９】
所定時間内に該当ロッカーボックス２の扉３が開かれなかった場合（Ｓ３７でＹｅｓ）、制御部４１は、利用者との取引が中断されたとみなして、該当ロッカーボックス２の電気錠３３に施錠信号を送信し、該当ロッカーボックス２の扉３を施錠する（Ｓ４４）。
【００９０】
このとき、制御部４１は、Ｓ３４において操作表示部２１に表示させていた矢印の表示を終了する（Ｓ４５）。制御部４１は、該当ロッカーボックス２のＬＥＤ２（３７）をＯＮにし、ＬＥＤ１（３６）をＯＦＦにする。すると、表示２（「施錠する」６２）が点灯し、表示１（「空き」６１）が消灯する（Ｓ４６）。また、制御部４１は、Ｓ３６で行ったブザー３１による鳴動を停止する（Ｓ４７）。
【００９１】
なお、Ｓ３１〜Ｓ４７までの間、ロッカーはその利用者に占有されている状態である。
【００９２】
Ｓ４３またはＳ４７の処理後、制御部４１は、Ｓ２１〜Ｓ２３の処理を実行したロッカーボックス２があるかを判定する（Ｓ４８）。Ｓ２１〜Ｓ２３の処理を実行したロッカーボックス２がある場合（Ｓ４８でＹｅｓ）、制御部４１は、該当ロッカーボックス２すべてのＬＥＤ４（３９）をＯＦＦにする。すると、該当ロッカーボックス２の表示４（「お待ちください」６４）が消灯し（Ｓ４９）、本フローは終了する。
【００９３】
Ｓ２１〜Ｓ２３の処理を実行したロッカーボックス２がない場合（Ｓ４８でＮｏ）、本フローは終了する。
【００９４】
なお、本実施形態では、ロッカーボックス２の扉３は左開きタイプとなっていたが、右開きタイプでもよい。この場合、框７もロッカーボックス２の左側に配置されることになる。また、扉３を天井面１０にヒンジで接続して、下開きタイプとしてもよい。この場合、框７もロッカーボックス２の底面１１側に配置されることになる。また、扉３を底面１１にヒンジで接続して、上開きタイプとしてもよい。この場合、框７もロッカーボックス２の天井面１０側に配置されることになる。
【００９５】
また、本実施形態では、検知機構である非接触式センサシステムの一例として、框７側に検知部としての磁気センサ、扉３側に磁石を包含する被検知部を設けたが、これに限定されず、框７側に被検知部、扉３側に検知部を設けてもよい。
【００９６】
本実施形態によれば、いずれかのロッカーボックスの施錠操作または操作装置の操作が行われた場合、預け入れようとするロッカーボックスの操作ができないようにすると共に、当該ロッカーボックスが使用可能になるまで待機する旨を通知することができる。
【００９７】
なお、本発明は、以上に述べた実施の形態に限定されるものではなく、本発明の要旨を逸脱しない範囲内で種々の構成または実施形態を取ることができる。
【符号の説明】
【００９８】
１      ロッカーシステム
２      ロッカーボックス
３      扉
４      取っ手
６      ロッカー部
７      框
８，９  側面
１０    天井面
１１    底面
１２    背面
１３    収納部
２０    集中制御装置
２１    操作表示部
２２ａ，２２ｂ  レシート発行部
２３    バーコードリーダ
２４    ＩＣカードリーダ／ライタ
２５    紙幣投入部
２６    硬貨投入部
２７    返金操作部
２８    返金口
２９    スピーカ
３１    ブザー
３２    ロック部
３３    電気錠
３４    扉開閉ＳＷ
３５    押ボタンＳＷ
３６    ＬＥＤ１
３７    ＬＥＤ２
３８    ＬＥＤ３
３９    ＬＥＤ４
４１    制御部
４２    記憶部
４３    認証部
４４    プリンタ
４５    紙幣処理部
４６    硬貨処理部
５１a，５１ｂ  クッション部材
５２    フック受入部
５３    ホールセンサ
６０    操作部
６１    表示１
６２    表示２
６３    表示３
６４    表示４
６６    フック
６７    被検知部
８１    ヒンジ
【図１】
2019124008.tif 000003
【図２】
2019124008.tif 000004
【図３】
2019124008.tif 000005
【図４】
2019124008.tif 000006
【図５】
2019124008.tif 000007
【図６】
2019124008.tif 000008
【図７Ａ】
2019124008.tif 000009
【図７Ｂ】
2019124008.tif 000010
【図７Ｃ】
2019124008.tif 000011
【図８】
2019124008.tif 000012